(57)【要約】【課題】設置環境に応じて設置作業の順序を変更しなければならないという不具合を緩和することができる空気調和機の室外機を提供する。【解決手段】室外機３は、ケーシングと、ケーシングの側面に取り付けられる閉鎖弁カバー３０とを備えている。ケーシングには、冷媒回路を開閉する液側閉鎖弁及びガス側閉鎖弁が側面に露出するように取り付けられている。閉鎖弁カバー３０は、第１方向からビスを貫通させることが可能な第１ビス固定部である第１ビス孔３１ｂ及び第１方向と交差する第２方向からビスを貫通させることが可能な第２ビス固定部３２ａが形成されている。【選択図】図７
2016114342.tif 000002
【特許請求の範囲】
【請求項１】
冷媒回路を開閉する弁が側面に露出するように取り付けられるケーシング（２０，２０Ａ）と、
第１方向からビスを貫通させることが可能な第１ビス固定部及び前記第１方向と交差する第２方向からビスを貫通させることが可能な第２ビス固定部が形成され、前記ケーシングの前記側面に取り付けられて前記弁を覆う弁カバー（３０，３０Ａ）と
を備える、空気調和機の室外機。
【請求項２】
前記弁カバーは、前記第１方向が前記ケーシングの正面に平行になるように前記第１ビス固定部（３１ａ）が形成され、前記第２方向が前記ケーシングの前記正面から背面に向かう方向になるように前記第２ビス固定部（３２ａ，３２ｃ）が形成されている、
請求項１に記載の空気調和機の室外機。
【請求項３】
前記弁カバーは、前記第２ビス固定部が、前記第２方向からビスを貫通させることができるように薄肉部（３２ａａ，３２ｃａ）で閉塞された状態になっている、
請求項１又は請求項２に記載の空気調和機の室外機。
【請求項４】
前記ケーシングは、前記第１ビス固定部と協働してビスを固定するための第１バーリング孔（２２ｃ）、及び前記第２ビス固定部と協働してビスを固定するための第２バーリング孔（２２ｄ，２２ｈ）が形成されている、
請求項１から３のいずれか一項に記載の空気調和機の室外機。
【請求項５】
前記ケーシングは、前記第２バーリング孔の使用時に前記第２バーリング孔の周囲部材が曲げられることで前記第２ビス固定部と協働できるように前記周囲部材が形成されている、
請求項４に記載の空気調和機の室外機。
【請求項６】
前記弁カバーは、前記第１方向が前記ケーシングの正面に平行になるように前記第１ビス固定部が形成され、前記第２方向が前記ケーシングの天面から底面に向かう方向になるように前記第２ビス固定部が形成されている、
請求項１に記載の空気調和機の室外機。
【請求項７】
前記弁カバーは、前記第１方向が前記ケーシングの正面から背面に向かう方向になるように前記第１ビス固定部が形成され、前記第２方向が前記ケーシングの天面から底面に向かう方向になるように前記第２ビス固定部が形成されている、
請求項１に記載の空気調和機の室外機。
【発明の詳細な説明】
【技術分野】
【０００１】
本発明は、空気調和機の室外機、特に、冷媒回路を有する空気調和機の室外機に関する。
【背景技術】
【０００２】
従来から、空気調和機の室外機には、特許文献１（特開２０１０−２８１４６１号公報）に開示されているように、空気調和機の室内機との間で接続される冷媒配管のための閉鎖弁を備えるものがある。そして、このような室外機には、閉鎖弁が、室外機のケーシングの一方の側面に設けられるものがある。このような空気調和機の室外機においては、閉鎖弁の保護及びケーシング側面の開口部の閉塞のために、特許文献１に記載されているような閉鎖弁カバーがケーシングの一方の側面に取り付けられる。
【発明の概要】
【発明が解決しようとする課題】
【０００３】
しかし、特許文献１に記載されているような従来の閉鎖弁カバーをケーシングの側面に固定するためには、室外機のケーシングの側面に対して垂直にビスを立てた状態で側面に仮止めされている閉鎖弁カバーに対してビスを当てて、ケーシングの側面からドライバーなどの工具によってビスを打ち込む作業が必要になる。そのため、閉鎖弁カバーとの間に隙間を設けられないような室外機の設置環境では、先に、閉鎖弁カバーにビス打ちをして閉鎖弁カバーをケーシングの側面に固定してから、閉鎖弁カバーが固定された状態の室外機を設置することが必要になっている。
【０００４】
このように閉鎖弁カバーを先に固定してから室外機を設置環境に設置する場合、閉鎖弁に冷媒配管が既に取り付けられた状態になってしまうことから、室外機を設置環境に向けて移動しているときに冷媒配管が損傷したり、室外機を設置環境に向けて移動させる作業者が傷害を負い易くなったりするという不具合が生じる可能性がある。
【０００５】
本発明の課題は、設置環境に応じて設置作業の順序を変更しなければならないという不具合を緩和することができる空気調和機の室外機を提供することである。
【課題を解決するための手段】
【０００６】
本発明の第１観点に係る空気調和機の室外機は、冷媒回路を開閉する弁が側面に露出するように取り付けられるケーシングと、第１方向からビスを貫通させることが可能な第１ビス固定部及び第１方向と交差する第２方向からビスを貫通させることが可能な第２ビス固定部が形成され、ケーシングの側面に取り付けられて弁を覆う弁カバーとを備える。
【０００７】
第１観点に係る空気調和機の室外機において、弁カバーに第１方向からビスを貫通させることが可能な第１ビス固定部に加えて第１方向と交差する第２方向からビスを貫通させることが可能な第２ビス固定部が形成されているので、第１方向からビスを打てない設置環境に設置する場合には第２方向からビスを打って弁カバーをケーシングに固定することができる。
【０００８】
本発明の第２観点に係る空気調和機の室外機は、第1観点の空気調和機の室外機において、弁カバーは、第１方向がケーシングの正面に平行になるように第１ビス固定部が形成され、第２方向がケーシングの正面から背面に向かう方向になるように第２ビス固定部が形成されている、ものである。
【０００９】
第２観点に係る空気調和機の室外機において、第１方向がケーシングの正面に平行になり、第２方向が正面から背面に向かう方向になるので、側面側から作業ができるときには第１方向からビス打ち作業を行うことができ、側面側からのビス打ち作業が困難なときは第２方向を使って正面側からビス打ち作業をすることができる。
【００１０】
本発明の第３観点に係る空気調和機の室外機は、第1観点又は第２観点の空気調和機の室外機において、弁カバーは、第２ビス固定部が、第２方向からビスを貫通させることができるように薄肉部で閉塞された状態になっている、ものである。
【００１１】
第３観点に係る空気調和機の室外機において、第２ビス固定部が薄肉部で閉塞された状態になっているので、第２ビス固定部が使用されないときは、第２ビス固定部の外観にビス孔が存在しない状態を維持することができる。
【００１２】
本発明の第４観点に係る空気調和機の室外機は、第１観点から第３観点のいずれかの空気調和機の室外機において、ケーシングは、第１ビス固定部と協働してビスを固定するための第１バーリング孔、及び第２ビス固定部と協働してビスを固定するための第２バーリング孔が形成されている、ものである。
【００１３】
第４観点に係る空気調和機の室外機において、ケーシングに第１バーリング孔と第２バーリング孔が設けられているので、第１ビス固定部を使用する場合にも第２ビス固定部を使用する場合にも１種類のケーシングで対応することができ、ケーシングの種類を減らすことでケーシングの在庫を減らして製造コストを削減し易くなる。
【００１４】
本発明の第５観点に係る空気調和機の室外機は、第４観点の空気調和機の室外機において、ケーシングは、第２バーリング孔の使用時に第２バーリング孔の周囲部材が曲げられることで第２ビス固定部と協働できるように周囲部材が形成されている、ものである。
【００１５】
第５観点に係る空気調和機の室外機において、第２バーリング孔の使用時に第２バーリング孔の周囲部材が曲げられることで第２ビス固定部と協働できるように周囲部材が形成されているので、第２バーリング孔の使用前には周囲部材が曲げられていないことから第２バーリング孔を使用しないときには周囲部材が邪魔になるのを防止することができる。
【００１６】
本発明の第６観点に係る空気調和機の室外機は、第１観点の空気調和機の室外機において、弁カバーは、第１方向がケーシングの正面に平行になるように第１ビス固定部が形成され、第２方向がケーシングの天面から底面に向かう方向になるように第２ビス固定部が形成されている、ものである。
【００１７】
第６観点に係る空気調和機の室外機において、第１方向がケーシングの正面に平行になり、第２方向が正面から背面に向かう方向になるので、側面側から作業ができるときには第１方向からビス打ち作業を行うことができ、側面側からのビス打ち作業が困難なときは第２方向を使って天面側からビス打ち作業をすることができる。
【００１８】
本発明の第７観点に係る空気調和機の室外機は、第１観点空気調和機の室外機において、弁カバーは、第１方向がケーシングの正面から背面に向かう方向になるように第１ビス固定部が形成され、第２方向がケーシングの天面から底面に向かう方向になるように第２ビス固定部が形成されている、ものである。
【００１９】
第７観点に係る空気調和機の室外機において、第１方向が正面から背面に向かう方向になり、第２方向が天面から底面に向かう方向になるので、正面側から作業ができるときには第１方向からビス打ち作業を行うことができ、正面側からのビス打ち作業が困難なときは第２方向を使って天面側からビス打ち作業をすることができる。
【発明の効果】
【００２０】
本発明の第１観点に係る空気調和機の室外機では、設置環境に応じて設置作業の順序を変更しなければならないという不具合を緩和することができる。
【００２１】
本発明の第２観点に係る空気調和機の室外機では、側面側からのビス打ち作業が困難なときは正面側からビス打ち作業をすることができ、設置環境に応じて設置作業の順序を変更しなければならないという不具合を緩和することができる。
【００２２】
本発明の第３観点に係る空気調和機の室外機では、意匠性の低下を防止でき、また、虫や水分が侵入するのを防止することができる。
【００２３】
本発明の第４観点に係る空気調和機の室外機では、安価な室外機を提供できる。
【００２４】
本発明の第５観点に係る空気調和機の室外機では、利便性及び安全性が向上する。
【００２５】
本発明の第６観点に係る空気調和機の室外機では、側面側からのビス打ち作業が困難なときは天面側からビス打ち作業をすることができ、設置環境に応じて設置作業の順序を変更しなければならないという不具合を緩和することができる。
【００２６】
本発明の第７観点に係る空気調和機の室外機では、正面側からのビス打ち作業が困難なときは天面側からビス打ち作業をすることができ、設置環境に応じて設置作業の順序を変更しなければならないという不具合を緩和することができる。
【図面の簡単な説明】
【００２７】
【図１】本発明の一実施形態に係る空気調和機の概要を説明するための回路図。
【図２】室外機の外観の一例を示す斜視図。
【図３】室外機の設置環境を説明するための斜視図。
【図４】室外機と閉鎖弁カバーの分解斜視図。
【図５】図４に示されている閉鎖弁カバーの前部を示す平面図。
【図６】図４に示されている閉鎖弁カバーの側部を示す平面図。
【図７】図４に示されている閉鎖弁カバーの後部を示す平面図。
【図８】閉鎖弁カバーの上部を後部斜め上から見た部分拡大斜視図。
【図９】閉鎖弁カバーの上部を拡大した部分拡大断面図。
【図１０】（ａ）図６のＩ−Ｉ線端面図、（ｂ）図１０（ａ）の閉鎖弁カバーが左側板に固定される様子を示す端面図。
【図１１】変形例１Ａに係る室外機と閉鎖弁カバーの分解斜視図。
【図１２】変形例１Ａに係る閉鎖弁カバーの上部を後部斜め上から見た部分拡大斜視図。
【発明を実施するための形態】
【００２８】
（１）空気調和装置の構成
図１には、本発明の一実施形態に係る空気調和機１０の回路構成の概要が示されている。この空気調和機１は、冷媒回路２を備えており、冷媒回路２中の冷媒を循環させることにより、蒸気圧縮式の冷凍サイクルを行う。冷媒回路２は、例えば図１に示されているように、１台の室外機３と１台の室内機４とが冷媒配管５，６によって接続された構成を有する。
【００２９】
具体的には、冷媒回路２は、圧縮機１１と、四路切換弁１２と、室外熱交換器１３と、膨張機構１４と、室内熱交換器１５と、アキュムレータ１６と、液側閉鎖弁１７と、ガス側閉鎖弁１８とを備えている。室内機４には、室内熱交換器１５が配置されている。室外機３には、圧縮機１１と、四路切換弁１２と、室外熱交換器１３と、膨張機構１４と、アキュムレータ１６と、液側閉鎖弁１７と、ガス側閉鎖弁１８とが配置されている。四路切換弁１２は、圧縮機１１の吐出側に接続された第１ポートと、室外熱交換器１３に接続された第２ポートと、アキュムレータ１６を介して圧縮機１１の吸入側に接続された第３ポートと、ガス側閉鎖弁１８を介して室内熱交換器１５に接続された第４ポートとを有している。また、室外熱交換器１３に膨張機構１４の一端が接続され、膨張機構１４の他端が液側閉鎖弁１７を介して室内熱交換器１５に接続されている。
【００３０】
冷房運転時には、図１に実線で示されている接続に四路切換弁１２が切り換えられる。このような冷房運転時の回路接続により、圧縮機１１から吐出された冷媒は、四路切換弁１２の第１ポートから第２ポート、室外熱交換器１３、膨張機構１４、液側閉鎖弁１７、室内熱交換器１５、ガス側閉鎖弁１８、四路切換弁１２の第４ポートから第３ポート、そしてアキュムレータ１６の順に循環し、圧縮機１１の吸入側に戻る。
【００３１】
暖房運転時には、図１に破線で示されている接続に四路切換弁１２が切り換えられる。このような暖房運転時の回路接続により、圧縮機１１から吐出された冷媒は、四路切換弁１２の第１ポートから第４ポート、ガス側閉鎖弁１８、室内熱交換器１５、液側閉鎖弁１７、膨張機構１４、室外熱交換器１３、四路切換弁１２の第２ポートから第３ポート、そしてアキュムレータ１６の順に循環し、圧縮機１１の吸入側に戻る。
【００３２】
（２）室外機３
室外機３は、図２に示されているような外観を呈する。図２では、矢印で示されている側に、室外機３の天面、底面、左側面、右側面、正面及び背面が配置されている。室外機３は、略直方体状のケーシング２０と、ケーシング２０の左側面に固定されている閉鎖弁カバー３０とを備えている。ケーシング２０は、正面側に前板２１を有し、左側面側に左側板２２を有し、天面側に天板２３を有している。図２には示されていないが、背面側に室外熱交換器１３に室外空気を取り込むための開口部が設けられ、右側面に右側板が設けられ、底面側に底板が設けられている。図２に示されている吹出し口２７は、正面の前板２１に形成されている。背面側の開口部から吸込まれた室外空気は、室外熱交換器１３を通過して吹出し口２７から吹出される。
【００３３】
図３には、バルコニー１００に設置された室外機３の一例が示されている。図３に示されている室外機３の設置状況は、室外機３の左側面側に建物の壁１０１があって、左側板２２と壁１０１の間には作業者が立ち入ることのできるスペースが存在しない状況である。また、室外機３の右側面側は、バルコニー１００の壁１０２に接触しそうな状態である。さらに図３には、室外機３の閉鎖弁カバー３０から延びる冷媒配管５，６がバルコニー１００の壁１０３に沿って取り付けられる場合の一例が示されている。
【００３４】
図４には、ケーシング２０から閉鎖弁カバー３０を分離した状態が示されている。ケーシング２０の左側板２２からケーシング２０の外に突き出た液側閉鎖弁１７及びガス側閉鎖弁１８は、左側板２２の下部に配置されている。左側板２２の上部には、ケーシング２０の内部の器材にアクセスしたり、ケーシング２０の中から外に延びる部材及び食み出す部材を取り付けたりするための開口部２２ａが形成されている。また、左側板２２には、閉鎖弁カバー３０を固定するための係止孔２２ｂ及びビス孔２２ｃが形成されている。ビス孔２２ｃは、バーリング加工が施された第１バーリング孔である。また、開口部２２ａにも、ビス孔２２ｄが設けられている。このビス孔２２ｄは、バーリング加工が施された第２バーリング孔である。ビス孔２２ｄは、開口部２２ａの方に突出した周囲部材２２ｅに形成されている。この周囲部材２２ｅは、左側板２２と同じ金属板で形成されている。この周囲部材２２ｅには、線状に強度を低下させる弱め線２２ｆが形成されており、周囲部材２２ｅは、例えばペンチなどの工具を使って弱め線２２ｆで曲げることができるように構成されている。
【００３５】
（３）閉鎖弁カバー３０
図５には、閉鎖弁カバー３０を室外機３の左側面方向から見た状態、つまり閉鎖弁カバー３０の前部が示されている。図６には、閉鎖弁カバー３０を室外機３の正面方向から見た状態、つまり閉鎖弁カバー３０の側部が示されている。図７には、閉鎖弁カバー３０を室外機３の右側面方向から見た状態、つまり閉鎖弁カバー３０の後部が示されている。また、図８には、閉鎖弁カバー３０の上部を後部斜め上から見た状態が示されている。さらに、図９には、閉鎖弁カバー３０の上部の断面が示されている。
【００３６】
閉鎖弁カバー３０には、左側板２２に密接する平坦な板状のカバー周縁部３１が設けられている。閉鎖弁カバー３０において、カバー周縁部３１に囲まれた領域には、膨出部３２が形成されている。液側閉鎖弁１７及びガス側閉鎖弁１８は、膨出部３２と左側板２２との間に形成される空間内に収納される。カバー周縁部３１は、配管引出し部３１ａを形成するための段差によって途切れている。この配管引出し部３１ａは、膨出部３２と左側板２２とによって形成される空間における外部に向けた開口部である。閉鎖弁カバー３０からは配管引出し部３１ａを通して図３に示されている冷媒配管５，６が引き出される。冷媒配管５，６には断熱材及びプラスチック製鞘などが巻き付けられて、冷媒配管５，６の外形は、配管引出し部３１ａと左側板２２とで囲まれた開口部の大きさに設定されている。従って、配管引出し部３１ａと左側板２２とで囲まれた開口部は、冷媒配管５，６によって、ほぼ隙間なく塞がれる。また、カバー周縁部３１には、左側板２２のビス孔２２ｃに対応する位置に第１ビス孔３１ｂが形成されている。この第１ビス孔３１ｂが第１ビス固定部である。後ほど詳しく説明するが、図７に示されているように、膨出部３２に第２ビス固定部３２ａが形成されている。
【００３７】
閉鎖弁カバー３０の膨出部３２の上部には、閉鎖弁カバー３０の前部から後部に向かって凹んだ取っ手部３３が形成されている。閉鎖弁カバー３０がケーシング２０に固定されている状態で取っ手部３３を掴んで室外機３を持ち上げられる程度の強度が閉鎖弁カバー３０に与えられている。また、閉鎖弁カバー３０の略中央部には、虫が侵入しない程度の小さな通風孔３４が形成されている。
【００３８】
閉鎖弁カバー３０の後部側を見ると、カバー周縁部３１の５箇所に係止爪３１ｃが形成されている。これら係止爪３１ｃは、左側板２２の係止孔２２ｂに対応する位置に形成されている。係止爪３１ｃは、それぞれ側部から見てＬ字型に形成され、係止孔２２ｂに差し込んで上に持ち上げると左側板２２の裏側に引っ掛かる構成になっている。また、図６を見ると分かるように、閉鎖弁カバー３０の上部後部側にリブ３５が形成されている。このリブ３５は、左側板２２の開口部２２ａの上端部に引っ掛かるように形成され、取っ手部３３を掴んで室外機３を持ち上げるときにケーシング２０から掛かる荷重を受け止められる強度を持っている。第１ビス孔３１ｂ又は第２ビス固定部３２ａビスにビスが貫通して閉鎖弁カバー３０が固定されたときには、係止爪３１ｃ及びリブ３５の上面が左側板２２に接触した状態で固定される。
【００３９】
室外機３の左側面側から作業ができ、第１ビス孔３１ｂを使って作業ができるときには、第２ビス固定部３２ａを使用しなくても固定できるように構成されている。しかし、閉鎖弁カバー３０を取り付けた状態では、例えば図３に示されているように建物の壁１０１にドライバー４０が当たってしまうような設置環境の時には、第１ビス孔３１ｂを使わずに、第２ビス固定部３２ａを使用して閉鎖弁カバー３０の固定を行う。狭くてドライバー４０以外のビス締結工具を用いることができない場合も、ドライバー４０が使用できない場合と同様の対応が可能である。第２ビス固定部３２ａを使用することで、ケーシング２０を所定位置に固定した後に第１ビス孔３１ｂを使って閉鎖弁カバー３０を固定できないときでも、冷媒配管５，６を設置した後に閉鎖弁カバー３０をケーシング２０に固定するという作業手順を変えること無く、ケーシング２０に閉鎖弁カバー３０を固定することができる。
【００４０】
第１ビス孔３１ｂを使って通常通りの作業が行える設置環境では、第２ビス固定部３２ａが使用されないので、図１０（ａ）に示されているように、第２ビス固定部３２ａには、薄肉部３２ａａが形成されている。図１０（ａ）は、図６のＩ−Ｉ線断面図である。第２ビス固定部３２ａは、第２方向からビス５０を貫通させることができるように薄肉部３２ａａで閉塞された状態になっている。また、図１０（ｂ）に示されているように、第２バーリング孔であるビス孔２２ｄの使用時に、周囲部材２２ｅが弱め線２２ｆで折り曲げられることで、ビス孔２２ｄは第２ビス固定部３２ａと協働してビス５０を固定できる。
【００４１】
（４）特徴
（４−１）
以上説明したように、閉鎖弁カバー３０（弁カバーの例）によって液側閉鎖弁１７及びガス側閉鎖弁１８（冷媒回路を開閉する弁の例）が覆われている。閉鎖弁カバー３０に室外機３の正面に平行な左側面側から右側面側に向かう左右方向（第１方向の例）からビス５０を貫通させることが可能なビス孔２２ｃ（第１ビス固定部の例）に加えて、左右方向と交差する正面側から背面側に向かう前後方向（第２方向の例）からビス５０を貫通させることが可能な第２ビス固定部３２ａが形成されている。このような構成を有するため、図３を用いて説明したような左右方向からビス５０を打てない設置環境に設置する場合には、前後方向向からビスを打って閉鎖弁カバー３０をケーシング２０に固定することができる。その結果、従来は左側面側から右側面側に向かう左右方向からビス孔２２ｃを貫通させるビス打ちができないときには先に閉鎖弁カバー３０をケーシング２０に固定するという作業手順の変更が必要であっものが、左右方向でビス打ちができなくても、先にケーシング２０を所定位置に設置してから前面側から前後方向にビス打ちして、その後に従来通りに閉鎖弁カバー３０をケーシング２０に取り付けるという作業手順で作業をすることができる。つまり、設置環境に応じて設置作業の順序を変更しなければならないという不具合が緩和される。なお、弁カバーは、液側閉鎖弁１７及びガス側閉鎖弁１８以外の弁体を覆うものであってもよい。
【００４２】
（４−２）
図１０（ａ）に示されているように、第２ビス固定部３２ａが薄肉部３２ａａで閉塞された状態になっているので、第２ビス固定部３２ａが使用されないときは、第２ビス固定部３２ａの外観にビス孔が存在しない状態を維持することができる。ビス孔２２ｃが使用されて第２ビス固定部３２ａが使用されないときに第２ビス固定部３２ａに最初から穴が開いていると、正面から穴が見えて意匠性が低下したり、虫や水分がその穴から侵入したりする可能性が生じる。それに対して、図１０（ａ）のように薄肉部３２ａａで閉塞された状態になっていると、意匠性が低下したり、虫や水分がその穴から侵入したりする不具合が防止される。
【００４３】
（４−３）
図４に示されているように、ケーシング２０には、第１バーリング孔の一例であるビス孔２２ｃと第２バーリング孔の一例であるビス孔２２ｄが設けられている。従って、第１ビス固定部を使用する場合にも第２ビス固定部を使用する場合にも１種類のケーシングで対応することができ、ケーシングの種類を減らすことでケーシングの在庫を減らして製造コストを削減し易くなる。その結果、閉鎖弁カバー３０に室外機３の正面に平行な左右方向からビス５０を貫通させることが可能なビス孔２２ｃに加えて正面側から背面側に向かう前後方向からビス５０を貫通させることが可能な第２ビス固定部３２ａが形成されている室外機３を安価に提供できる。また、予め設置状況に合わせてケーシング２０の選定を行わなくて済むので、下見などの手間が省ける。
【００４４】
（４−４）
図１０（ｂ）に示されているように、第２バーリング孔の一例であるビス孔２２ｄの使用時に弱め線２２ｆで周囲部材２２ｅが曲げられることで第２ビス固定部３２ａと協働できるように、周囲部材２２ｅが形成されている。その結果、ビス孔２２ｄの使用前には周囲部材２２ｅが曲げられていない状態になるので、ビス孔２２ｄを使用しないときには周囲部材２２ｅが邪魔になるのを防止することができ、利便性及び安全性が向上する。
【００４５】
（５）変形例
（５−１）変形例１Ａ
上記実施形態では、第２方向として、左右方向と交差する正面側から背面側に向かう前後方向について説明したが、第２方向は、ケーシングの天面から底面に向かう上下方向であってもよい。その場合には、例えば図１１及び図１２に示されているように、閉鎖弁カバー３０Ａの膨出部３２の上面３２ｂに第２ビス固定部３２ｃが形成されている。第２ビス固定部３２ｃの断面形状は、第２ビス固定部３２ａと同様であり、第２ビス固定部３２ｃは、薄肉部３２ｃａを有している。また、ビス打ちできるように、リブ３５Ａには、切り欠き３５Ａａが形成されている。そして、ケーシング２０Ａには、開口部２２ａの上端部側に周囲部材２２ｇが形成され、周囲部材２２ｇにビス孔２２ｈが形成されている。
【００４６】
変形例１Ａのように構成されることにより、従来は左側面側から右側面側に向かう左右方向からビス孔を貫通させるビス打ちができないときには先に従来の閉鎖弁カバーを従来のケーシングに固定するという作業手順の変更が必要であっものが、左右方向でビス打ちができなくても、先にケーシング２０Ａを所定位置に設置してから天面側から上下方向にビス打ちして、その後に従来通りに閉鎖弁カバー３０Ａをケーシング２０Ａに取り付けるという作業手順で作業をすることができる。つまり、設置環境に応じて設置作業の順序を変更しなければならないという不具合が緩和される。
【００４７】
（５−２）変形例１Ｂ
上記実施形態では、第２方向として、左右方向と交差する正面側から背面側に向かう前後方向について説明したが、第２方向は、ケーシングの天面から底面に向かう上下方向であってもよい。さらに、第１方向として、正面に平行な左側面側から右側面側に向かう左右方向について説明したが、第２方向は、正面から背面に向かう前後方向であってもよい。このような変形例１Ｂの場合には、第１実施形態で第２ビス固定部３２ａとして説明した位置に、変形例１Ｂの第１ビス固定部としてのビス孔が形成される。そして、第１実施形態で説明したビス孔２２ｄが、変形例１Ｂにおける第１バーリング孔になる。また、変形例１Ａで説明した第２ビス固定部３２ｃが変形例１Ｂの第２ビス固定部になり、また、変形例１Ａで説明したビス孔２２ｈが変形例１Ｂの第２バーリング孔になる。
【００４８】
変形例１Ｂのように構成されることにより、従来は正面側から背面側に向かう前後方向からビス孔を貫通させるビス打ちができないときには先に従来の閉鎖弁カバーを従来のケーシングに固定するという作業手順の変更が必要であっものが、前後方向でビス打ちができなくても、先にケーシングを所定位置に設置してから天面側から上下方向にビス打ちして、その後に従来通りに閉鎖弁カバーをケーシングに取り付けるという作業手順で作業をすることができる。つまり、設置環境に応じて設置作業の順序を変更しなければならないという不具合が緩和される。
【００４９】
（５−３）変形例１Ｃ
上記実施形態及び変形例では、閉鎖弁カバー３０，３０Ａがケーシング２０，２０Ａの左側面に取り付けられる場合を説明したが、閉鎖弁カバー３０がケーシング２０の右側面に取り付けられる場合にも本願発明を適用できる。
【符号の説明】
【００５０】
１    空気調和機
２０，２０Ａ    ケーシング
２２ｃ    ビス孔(第１バーリング孔の例)
２２ｄ，２２ｈ  ビス孔（第２バーリング孔の例）
３０，３０Ａ    閉鎖弁カバー（弁カバーの例）
３１ａ    第１ビス固定部
３２ａ，３２ｃ    第２ビス固定部
３２ａａ，３２ｃａ    薄肉部
【先行技術文献】
【特許文献】
【００５１】
【特許文献１】特開２０１０−２８１４６１号公報
【図１】
2016114342.tif 000003
【図２】
2016114342.tif 000004
【図３】
2016114342.tif 000005
【図４】
2016114342.tif 000006
【図５】
2016114342.tif 000007
【図６】
2016114342.tif 000008
【図７】
2016114342.tif 000009
【図８】
2016114342.tif 000010
【図９】
2016114342.tif 000011
【図１０】
2016114342.tif 000012
【図１１】
2016114342.tif 000013
【図１２】
2016114342.tif 000014